(57)【特許請求の範囲】
【請求項１】
（ａ）データセンタ側コンピュータ２と、
複数の動物病院にそれぞれ設置される動物病院側コンピュータ３とが、インターネット４を介して接続され、
（ｂ）各動物病院側コンピュータ３によって、
主催データとしてのクライアント識別番号、動物病院名、動物病院識別番号、獣医師名、会議議題、会議識別番号を、入力してデータセンタ側コンピュータ２に送信するとともに、
マスタデータとして会議識別番号毎に、レントゲン画像データ、レントゲンデータ、マーカの線幅、色が選択されたマーカ図形データ、前記レントゲン画像データの患畜に対応する血液検査データ、メッセージデータを入力してデータセンタ側コンピュータ２に送信し、
データセンタ側コンピュータ２から受信し、
（ｃ）データセンタ側コンピュータ２は、動物病院側コンピュータ３からの主催データと会議識別番号とマスタデータとをストアし、
これらのストアされた主催データと会議識別番号とマスタデータとを、動物病院側コンピュータ３に送信し、
（ｄ）会議主催者側の動物病院側コンピュータ３から、主催データと会議識別番号とマスタデータとを、データセンタ側コンピュータ２に送信し、
会議識別番号と、会議主催者の動物病院名と、会議議題とを含む会議情報を、データセンタ側コンピュータ２から動物病院側コンピュータ３に送信し、
会議参加者側の動物病院側コンピュータ３では、会議主催者、会議主催者の所属動物病院名、会議の議題を含む会議一覧テーブルＴ１を表示し、この会議一覧テーブルＴ１から参加しようとする会議を選択して参加希望を含んだデータを、データセンタ側コンピュータ２に送信し、会議主催者側の動物病院側コンピュータ３によって参加承認を可能とし、
会議主催者側の動物病院側コンピュータ３から、参加希望者、その参加希望者の所属動物病院名を含む参加待ちリストテーブルＴ２を表示し、この参加待ちリストテーブルＴ２から参加希望者を選択して、参加承認を行ない、この参加承認データを、マスタデータとともに、会議主催者側の動物病院側コンピュータ３からデータセンタ側コンピュータ２に送信し、データセンタ側コンピュータ２は、この参加承認データとマスタデータとを、会議参加者側の動物病院側コンピュータ３に送信し、
会議参加者によって会議参加者側の動物病院側コンピュータ３の了解ボタンＢ４が押されることによって既存会議への参加が完了し、参加希望者側の動物病院側コンピュータ３によって、レントゲン画像、血液検査データ、マーカならびにそのマーカの線幅および色を表示し、
会議主催者側の動物病院側コンピュータ３から主催者側終了ボタンＢ２３が押されることによって、会議が終了し、
会議参加者側の動物病院側コンピュータ３から会議継続ボタンＢ２５が選択されると、その会議継続ボタンＢ２５を選択した参加者が主催者に変更され、会議を継続し、
各動物病院側コンピュータ３では、
レントゲン画像と血液検査データとを、１つの画面内のレントゲンタブと血液検査タブとの選択操作によって切換えて、表示するとともに、
１つの画面内に、レントゲン選択パネルＰ１と、そのレントゲン選択パネルＰ１の選択されたレントゲン画像を拡大して示すレントゲン詳細パネルＰ２とを表示し、レントゲン画像に、直線マーカＡ２およびレントゲン画像の一部分を囲むマーカＡ１を、各動物病院側コンピュータ３から線幅および色を変化して表示し、
１つの画面に、血液検査選択パネルＰ４と、その血液検査選択パネルＰ４で選択された血液検査詳細パネルＰ５とを表示することを特徴とする獣医師の電子会議システム。
【発明の詳細な説明】
【０００１】
【発明の属する技術分野】
本発明は、インターネットなどの通信回線網（ネットワーク）を利用して、動物病院の獣医師間で患畜の診断結果などの医療情報の授受を行うことができる電子会議システムに関する。
【０００２】
【従来の技術】
我国の最近のペットブームを支える広義のペット産業の中において、動物病院の獣医師が担う役割は非常に大きく、動物病院が扱う情報も年々増加してきている。従来の動物病院の情報管理システムは、顧客管理を中心としたクローズドなシステムでしかなく、Ｗｅｂサーバのバックエンドデータベースとしての機能は有していない。また、単独の動物病院の商圏や顧客数では、動物病院毎にＷｅｂサーバを運営することの意味がほとんどなく、経費的にも現実的ではない。このため、動物病院で入力された「カルテ情報」は、病院内で限定的に利用されているにすぎない。
【０００３】
一方、獣医師のインターネットへの関心は非常に旺盛で、最近ではインターネットを利用していない動物病院は皆無であり、半数近くの獣医師はインターネットへ接続している感触である。しかし、インターネットの用途は、「メーリングリストによる電子会議」、「自院のホームページ開設」といったところで、「もっとインターネットの特質を活かし、動物病院に特化した情報サービスを利用できないか？」との要望が高まっている。
【０００４】
【発明が解決しようとする課題】
動物医療は、多種類のペットに対する全科診療が建て前となっており、獣医は医療分野により、得手・不得手がどうしても存在するものである。そのため、リアルタイムな検査結果の判定を行えないという問題がある。
【０００５】
本発明の目的は、患畜の診断結果や検査結果の検討を円滑かつ迅速に行うことができる獣医師の電子会議システムを提供することである。
【０００６】
【課題を解決するための手段】
本発明は、（ａ）データセンタ側コンピュータ２と、
複数の動物病院にそれぞれ設置される動物病院側コンピュータ３とが、インターネット４を介して接続され、
（ｂ）各動物病院側コンピュータ３によって、
主催データとしてのクライアント識別番号、動物病院名、動物病院識別番号、獣医師名、会議議題、会議識別番号を、入力してデータセンタ側コンピュータ２に送信するとともに、
マスタデータとして会議識別番号毎に、レントゲン画像データ、レントゲンデータ、マーカの線幅、色が選択されたマーカ図形データ、前記レントゲン画像データの患畜に対応する血液検査データ、メッセージデータを入力してデータセンタ側コンピュータ２に送信し、
データセンタ側コンピュータ２から受信し、
（ｃ）データセンタ側コンピュータ２は、動物病院側コンピュータ３からの主催データと会議識別番号とマスタデータとをストアし、
これらのストアされた主催データと会議識別番号とマスタデータとを、動物病院側コンピュータ３に送信し、
（ｄ）会議主催者側の動物病院側コンピュータ３から、主催データと会議識別番号とマスタデータとを、データセンタ側コンピュータ２に送信し、
会議識別番号と、会議主催者の動物病院名と、会議議題とを含む会議情報を、データセンタ側コンピュータ２から動物病院側コンピュータ３に送信し、
会議参加者側の動物病院側コンピュータ３では、会議主催者、会議主催者の所属動物病院名、会議の議題を含む会議一覧テーブルＴ１を表示し、この会議一覧テーブルＴ１から参加しようとする会議を選択して参加希望を含んだデータを、データセンタ側コンピュータ２に送信し、会議主催者側の動物病院側コンピュータ３によって参加承認を可能とし、
会議主催者側の動物病院側コンピュータ３から、参加希望者、その参加希望者の所属動物病院名を含む参加待ちリストテーブルＴ２を表示し、この参加待ちリストテーブルＴ２から参加希望者を選択して、参加承認を行ない、この参加承認データを、マスタデータとともに、会議主催者側の動物病院側コンピュータ３からデータセンタ側コンピュータ２に送信し、データセンタ側コンピュータ２は、この参加承認データとマスタデータとを、会議参加者側の動物病院側コンピュータ３に送信し、
会議参加者によって会議参加者側の動物病院側コンピュータ３の了解ボタンＢ４が押されることによって既存会議への参加が完了し、参加希望者側の動物病院側コンピュータ３によって、レントゲン画像、血液検査データ、マーカならびにそのマーカの線幅および色を表示し、
会議主催者側の動物病院側コンピュータ３から主催者側終了ボタンＢ２３が押されることによって、会議が終了し、
会議参加者側の動物病院側コンピュータ３から会議継続ボタンＢ２５が選択されると、その会議継続ボタンＢ２５を選択した参加者が主催者に変更され、会議を継続し、
各動物病院側コンピュータ３では、
レントゲン画像と血液検査データとを、１つの画面内のレントゲンタブと血液検査タブとの選択操作によって切換えて、表示するとともに、
１つの画面内に、レントゲン選択パネルＰ１と、そのレントゲン選択パネルＰ１の選択されたレントゲン画像を拡大して示すレントゲン詳細パネルＰ２とを表示し、レントゲン画像に、直線マーカＡ２およびレントゲン画像の一部分を囲むマーカＡ１を、各動物病院側コンピュータ３から線幅および色を変化して表示し、
１つの画面に、血液検査選択パネルＰ４と、その血液検査選択パネルＰ４で選択された血液検査詳細パネルＰ５とを表示することを特徴とする獣医師の電子会議システムである。
【０００７】
本発明に従えば、獣医師間の会議をコンピュータを使用して行うことができる。したがって、動物病院に居ながら他の動物病院の獣医師との会議を容易に行うことができる。特に、遠隔地にある動物病院の獣医師と会議を行う場合に便利であり、また面識のない獣医師との会議も比較的気軽に行うことが可能となる。
【０００８】
レントゲン画像や血液検査データを見ながら会議を行うので、患畜の診断に関する相談や検討を容易に行うことができる。レントゲン画像はコンピュータ間で伝送されるので、ファクシミリで送信した場合に比べて画質が良く、また郵送などで送る場合に比べて簡単かつ迅速に送ることができる。
レントゲン画像にマーカ図形を重ねて表示させることができるので、対象となる部位を確実に示すことができ、混乱や誤解を生じさせることなく、会議を円滑に進めることができる。
【００１２】
【発明の実施の形態】
図１は、本発明の実施の一形態である電子会議システム１の概略的構成を示す構成図である。電子会議システム１は、所定のデータセンタに設置されたデータセンタ側コンピュータ２と、動物病院に設置された動物病院側コンピュータ３ａ，３ｂ（総称するときは参照符号「３」を用いる。）とを、インターネット４を介して接続して構成されている。なお、図１では動物病院側コンピュータ３は２台しか示されていないが、実際には多数の動物病院に動物病院側コンピュータ３がそれぞれ設置されている。
【００１３】
電子会議システム１は、動物病院の獣医師が患畜の診断検討業務を円滑に行うことができるように構成されたものであり、他の動物病院側コンピュータ３との間でレントゲン画像および血液検査情報を共有化し、電子会議を行う機能（以下、「ネットシャーカステン機能」という。）を実行する。以下、ネットシャーカステン機能を具体的に説明する。
【００１４】
図２は、ネットシャーカステン機能を実行するための構成を示す機能ブロック図である。データセンタ側コンピュータ２は、会議履歴管理部５と、送受信履歴ＤＢ（データベース）６と、カルテ詳細マスタ７とを有する。また、送受信履歴ＤＢ６は、操作送受信履歴マスタ８と、会議マスタ９とを有する。
【００１５】
一方、動物病院側コンピュータ３は、病院間検査結果検討業務支援機能部１０と、ＮＳ（ネットシャーカステン）クライアントＤＢ１１と、検査マスタ１２とを備える。病院間検査結果検討業務支援機能部１０は、クライアント情報通信管理部１３と、クライアント表示作成部１４とを有する。さらに、ＮＳクライアントＤＢ１１は、操作マスタ１５と、選択マスタ１６とを有する。
【００１６】
なお、会議履歴管理部５および病院間検査結果検討業務支援機能部１０は、コンピュータプログラムを実行することによって実現されるものであり、データベース６，１１およびマスタ７，１２はメモリ上に設定されるものである。
【００１７】
次に、ネットシャーカステン機能において送受信されるデータについて説明する。ネットシャーカステン機能においては、ＡＨ接続データ、ＮＳＰＣＩＤデータ、主催データ、送受信データ、ＡＨデータ、レントゲンデータ、マーカ図形データ、血液検査データ、検査値データ、検査項目データ、項目検査値データ、メッセージデータ、ＮＳＩＤデータ、カルテ詳細レントゲン画像データ、カルテ詳細血液検査データ、カルテ識別データ、レントゲン選択データ、血液検査選択データが送受信される。
【００１８】
（１）ＡＨ接続情報データ
【表１】
0003732121.tif 000002
【００１９】
（２）ＮＳＰＣＩＤデータ
【表２】
0003732121.tif 000003
【００２０】
（３）主催データ
【表３】
0003732121.tif 000004
【００２１】
（４）送受信データ
【表４】
0003732121.tif 000005
【００２２】
（５）ＡＨデータ
【表５】
0003732121.tif 000006
【００２３】
（６）レントゲンデータ
【表６】
0003732121.tif 000007
【００２４】
（７）マーカ図形データ
【表７】
0003732121.tif 000008
【００２５】
（８）血液検査データ
【表８】
0003732121.tif 000009
【００２６】
（９）検査値データ
【表９】
0003732121.tif 000010
【００２７】
（１０）検査項目データ
【表１０】
0003732121.tif 000011
【００２８】
（１１）項目検査値データ
【表１１】
0003732121.tif 000012
【００２９】
（１２）メッセージデータ
【表１２】
0003732121.tif 000013
【００３０】
（１３）ＮＳＩＤデータ
【表１３】
0003732121.tif 000014
【００３１】
（１４）カルテ詳細レントゲン画像データ
【表１４】
0003732121.tif 000015
【００３２】
（１５）カルテ詳細血液検査データ
【表１５】
0003732121.tif 000016
【００３３】
（１６）カルテ識別データ
【表１６】
0003732121.tif 000017
【００３４】
（１７）レントゲン選択データ
【表１７】
0003732121.tif 000018
【００３５】
（１８）血液検査選択データ
【表１８】
0003732121.tif 000019
【００３６】
まず、病院間検査結果検討業務支援機能部１０の処理内容を説明する。病院間検査結果検討業務支援機能部１０は、クライアント情報通信管理部１３と、クライアント表示作成部１４とを備え、動物病院側コンピュータ３で稼動する。
【００３７】
クライアント情報通信管理部１３は、画面から入力された獣医師名、議題およびＡＨテーブルのＡＨデータ（クライアントＩＤ、動物病院ＩＤ、院長名を含む）を主催データへ書き込み、データセンタ側コンピュータ２へ送信する。
【００３８】
また、クライアント情報通管理部１３は、ＮＳＰＣＩＤテーブル（会議ＩＤ、クライアントＩＤを含む）をデータセンタ側コンピュータ２へ送信し、送受信データ（会議ＩＤ、イベントＩＤ、クライアントＩＤ、マスタデータを含む）を受信するとともに、操作マスタ（ＡＨテーブル、レントゲンテーブル、マーカ図形テーブル、血液検査テーブル、メッセージテーブル）１５にマスタデータを登録、更新、削除して、画面に表示する。
【００３９】
クライアント表示作成部１４は、動物病院側コンピュータ３に保存されている検査マスタ１２のレントゲン画像ファイルまたは血液検査ファイルおよびデータセンタ側コンピュータ２のカルテ詳細マスタ７のカルテ詳細レントゲン画像データまたはカルテ詳細血液検査データに基づいて作成したレントゲンデータまたは血液検査データ、ならびに画面から入力されたマーカ図形データおよびメッセージデータを動物病院側コンピュータ３の操作マスタ１４に登録するとともに、ＮＳＰＣＩＤテーブル（会議ＩＤ、クライアントＩＤを含む）を付加して送受信テーブルに書き込み、データセンタ側コンピュータ２へ受け渡す。さらに、クライアント表示作成部１４は、当該操作マスタ１５の操作データに基づき、レントゲン選択データおよび血液検査選択データを作成し、動物病院側コンピュータ３の選択マスタ１６に登録する。
【００４０】
次に、会議履歴管理部５の処理内容を説明する。会議履歴管理部５は、データセンタ側コンピュータ２で稼動し、動物病院側コンピュータ３から受け取った主催データ（クライアントＩＤ、動物病院ＩＤ、院長名、獣医師名、病院名、会議議題を含む）を送受信履歴ＤＢ６の会議マスタ９に登録、更新する。また、会議履歴管理部５は、動物病院側コンピュータ３から受け取った送受信データ（ＮＳＰＣＩＤデータ、セッション種別、テーブル制御種別を含む）を送受信履歴ＤＢ６の操作送受信履歴マスタ８へ登録する。さらに、会議履歴管理部５は、動物病院側コンピュータ３から受け取った送受信データのＮＳＰＣＩＤデータ（会議ＩＤ、イベントＩＤ、クライアントＩＤを含む）に基づいて操作送受信履歴マスタ８の送受信テーブルから送受信データを取出し、動物病院側コンピュータ３へ受け渡す。
【００４１】
図３は、ネットシャーカステン機能による電子会議の開始時と参加時とにおける通信シーケンスを示すタイムチャートである。動物病院側コンピュータ３において、ネットシャーカステン機能を選択すると、初期ダイアログＤ１が表示される。
【００４２】
図４は、新規会議開催時の初期ダイアログＤ１を示す図である。新規に会議を開催するときは、ユーザは獣医師名テキストボックスＴＢ１に名前を入力し、新規会議開催選択欄Ｓ１を選択し、議題テキストボックスＴＢ２に議題を入力し、ＯＫボタンＢ１を押す。これによって、会議主催者側の病院間検査結果検討業務支援機能部１０ｍ（以下、添え字ｍは、会議主催者側を表す）は、主催データを会議履歴管理部５に送信する。会議履歴管理部５は、会議開始モジュールを実行し、会議ＩＤ（識別番号）を病院間検査結果検討業務支援機能部１０ｍに送信する。これによって、新規の会議が開催される。
【００４３】
図５は、既存会議参加時の初期ダイアログＤ１を示す図である。既存の会議に参加するときは、ユーザは獣医師名テキストボックスＴＢ１に名前を入力し、既存会議参加選択欄Ｓ２を選択し、検索ボタンＢ２を押す。これによって、会議一覧テーブルＴ１に現在開催されている会議の情報が表示される。会議情報は、会議履歴管理部５から送信され、会議ＩＤ、会議の主催者、主催者の所属動物病院名、会議の議題などを含んでいる。ユーザは、会議一覧テーブルＴ１に表示されている会議の中から参加を希望する会議を選択し、ＯＫボタンＢ１を押す。これによって、会議参加者側の病院間検査結果検討業務支援機能部１０ｓ（以下、添え字ｓは、会議主催者以外の会議参加者を表す）は、参加希望を含んだ送受信データを会議履歴管理部５に送信するとともに、メッセージ表示欄Ｍ１に、「会議参加を申し込み中です。少々お待ち下さい。…」のメッセージを表示する。会議履歴管理部５は、送受信データ管理モジュールを実行し、参加希望を含んだ送受信データを主催者側の病院間検査結果検討業務支援機能部１０ｍに送信する。
【００４４】
送受信データを受信した病院間検査結果検討業務支援機能部１０ｍは、図６に示すセッションモニタダイアログＤ２を表示する。セッションモニタダイアログＤ２のセッションイベントログ表示欄Ｍ２には、会議への参加希望者がいる旨を示すメッセージが表示されるとともに、参加待ちリストテーブルＴ２には、参加希望者の情報である参加希望者とその参加希望者の所属動物病院名とを含んだ情報が、図６のように表示される。主催者は、参加待ちリストテーブルＴ２に表示されている参加希望者を選択し、承認ボタンＢ３を押す。これによって、主催者側の病院間検査結果検討業務支援機能部１０ｍは、参加承認を含んだ送受信データを会議履歴管理部５に送信する。会議履歴管理部５は、送受信データ管理モジュールを実行し、参加承認を含んだ送受信データを参加希望者側の病院間検査結果検討業務支援機能部１０ｓに送信する。
【００４５】
参加承認を含んだ送受信データを受信した病院間検査結果検討業務支援機能部１０ｓは、会議用送受信データダウンロードモジュールを実行し、図７に示すメッセージダイアログＤ３を表示する。メッセージダイアログＤ３には、「参加承認されました。」と表示されるので、参加希望者が了解ボタンＢ４を押すことによって、既存会議への参加が完了する。
【００４６】
会議の主催者および参加者のコンピュータには、図８または図９に示すネットシャーカステンフレームＦ１が表示される。メニューバーＭＢ１には、「ファイル」、「編集」、「表示」が表示されている。「ファイル」には、「サーバ検索」、「画像アップロード」、「画像ダウンロード」、「画像取り下げ」、「血液検査アップロード」、「血液検査ダウンロード」、「血液検査取り下げ」、「終了」が配置されている。「表示」には、「セッションモニタ」、「メモリモニタ」が配置されている。
【００４７】
図８は、レントゲンタブを表示したときのネットシャーカステンフレームＦ１を示す図である。レントゲンタブには、レントゲン選択パネルＰ１、レントゲン詳細パネルＰ２、コマンドパネルＰ３が表示される。レントゲン選択パネルＰ１には、現在アップロードされている全てのレントゲン画像の一覧が表示される。レントゲン画像を選択すると、選択されたレントゲン画像がレントゲン詳細パネルＰ２に表示される。レントゲン詳細パネルＰ２には、レントゲン選択パネルＰ１で選択されたレントゲン画像が表示され、レントゲン画像の拡大／縮小、マーカの作図が可能である。コマンドパネルＰ３では、レントゲン画像の拡大／縮小の指示、作成するマーカの種類、色、線幅、矢印の選択、マーカの作成／指示のモード切換、マーカの削除が可能である。
【００４８】
図９は、血液検査タブを表示したときのネットシャーカステンフレームＦ１を示す図である。血液検査タブには、血液検査選択パネルＰ４、血液検査詳細パネルＰ５が表示される。
【００４９】
血液検査選択パネルＰ４には、現在アップロードされている全ての血液検査の一覧が表示される。血液検査を選択すると、選択された血液検査が血液検査詳細パネルＰ５に表示される。血液検査詳細パネルＰ５には、血液検査の項目、正常値、単位、検査日、検査時刻、値が表示される。
【００５０】
図１０は、ネットシャーカステン機能実行時の通信シーケンスを示すタイムチャートである。会議主催者が入力したレントゲンデータ、マーカ図形データ、血液検査データ、メッセージデータは、送受信データに含められ、データセンタ側コンピュータ２の会議履歴管理部５の送受信データ管理モジュールを介して会議参加者の所有する動物病院側コンピュータ３の会議用送受信ダウンロードモジュールに与えられる。また、会議参加者がデータを入力した場合、入力データは会議主催者および他の会議参加者に与えられる。したがって、会議主催者と会議参加者との間でデータを共有した状態で会議を行うことができる。
【００５１】
まず、レントゲン画像のアップロードについて説明する。メニューバーＭＢ１の「ファイル」−「画像アップロード」を選択すると、図１１に示すレントゲン画像アップグレードダイアログＤ４が表示される。この時点では、ファイル欄Ｒ１は空白である。次に参照ボタンＢ５を押すと、図１２に示すレントゲン画像選択ダイアログＤ５が表示される。レントゲン画像を選択し、開くボタンＢ６を押すと、再び図１３に示すようにレントゲン画像アップグレードダイアログＤ４が表示される。この時点では、ファイル欄Ｒ１には選択したファイル名が表示される。必要に応じて説明欄に説明文を入力し、ＯＫボタンＢ７を押すと、レントゲン選択パネルＰ１にレントゲン画像のサムネイルが表示される。サムネイルを選択すると、図１４に示すように、レントゲン詳細パネルＰ２にレントゲン画像が表示される。
【００５２】
次に、レントゲン画像のサーバ検索について説明する。図１５に示すサーバ検索ダイアログＤ６は、ネットシャーカステンフレームＦ１におけるメニューバーＭＢ１の「ファイル」−「サーバ検索」を選択することによって表示される。サーバ検索ダイアログＤ６に対して必要に応じて、検索項目を設定する。「診療日範囲」、「飼主ＣＤ」、［ペットＣＤ］、「主訴」、「病状」、「診断」、「処置」、「備考」、「メッセージ」が検索項目として設定できる。
【００５３】
レントゲン検索ボタンＢ８を押すと、図１６に示す検索結果ダイアログＤ７が開く。検索結果ダイアログＤ７において、症例を選択してレントゲン画像選択ボタンＢ９を押すと、図１７に示すレントゲン画像選択ダイアログＤ８が開く。
【００５４】
レントゲン画像選択ダイアログＤ８において、レントゲン画像を選択してレントゲン画像読み込みボタンＢ１０を押すと、図１８に示すようにレントゲン選択パネルＰ１にレントゲン画像のサムネイルが表示される。サムネイルを選択すると、レントゲン詳細パネルＰ２にレントゲン画像が表示される。
【００５５】
次に、レントゲン画像にマーカを表示させる場合の操作手順を説明する。マーカの作成にあたっては、まずネットシャーカステンフレームＦ１において、コマンドパネルＰ３で作成するマーカの種類（直線ボタンＢ１１、矩形ボタンＢ１２）を選択する。次に、レントゲン詳細パネルＰ２上でマウスドラッグによってマーカの開始点と終了点とを指示する。これによって、たとえば図１９に示すように、骨の一部分を囲むように矩形Ａ１が表示され、また骨折位置を示すように矢印Ａ２が表示される。図２０に示すように、マーカの線幅を太くすることもできる。
【００５６】
マーカの指示にあたっては、まずネットシャーカステンフレームＦ１において、コマンドパネルＰ３で指示ボタンＢ１３を押す。次に、レントゲン詳細パネルＰ２上でマーカを指示する。これによって、指示されたマーカが選択色に変化する。複数のマーカを選択するには、キーボードの「ＳＨＩＦＴ」キーを押しながら続けてマーカを指示する。
【００５７】
マーカの削除にあたっては、まずマーカを指示する。次に、コマンドパネルＰ３で削除ボタンＢ１４を押す。これによって、図２１に示すように、レントゲン詳細パネルＰ２上からマーカが消える。
【００５８】
次に、血液検査のアップロードについて説明する。メニューバーＭＢ１の「ファイル」−「血液検査アップロード」を選択すると、図２２に示す血液検査アップロードダイアログＤ９が示される。この時点では、ファイル欄Ｒ２は空白である。次に参照ボタンＢ１５を押すと、図２３に示す血液検査選択ダイアログＤ１０が表示される。
【００５９】
血液検査選択ダイアログＤ１０において、血液検査ファイルを選択し、開くボタンＢ１６を押すと再び図２４に示すように血液検査アップロードダイアログＤ９が表示される。
【００６０】
この時点では、ファイル欄Ｒ２には選択したファイル名が表示される。必要に応じて説明欄Ｒ３に説明文を入力し、ＯＫボタンＢ１７を押すと、血液検査選択パネルＰ４に血液検査項目が表示される。血液検査項目を選択すると、図２５に示すように血液検査詳細パネルＰ５に血液検査の詳細が表示される。
【００６１】
次に、血液検査のサーバ検索について説明する。図２６に示すサーバ検索ダイアログＤ６は、ネットシャーカステンフレームＦ１におけるメニューバーの「ファイル」−「サーバ検索」を選択することによって表示される。サーバ検索ダイアログＤ６に対して、必要に応じて、検索項目を設定する。「診療日範囲」、「飼主ＣＤ」、「ペットＣＤ」、「主訴」、「症状」、「診断」、「処置」、「備考」、「メッセージ」が検索項目として設定できる。
【００６２】
血液検査検索ボタンＢ１８を押すと、図２７に示す検索結果ダイアログＤ７が開く。検索結果ダイアログＤ７において、症例を選択し血液検査読み込みボタンＢ１９を押すと、図２８に示す血液検査ファイル名入力ダイアログＤ１１が開く。
【００６３】
血液検査ファイル名入力ダイアログＤ１１において、ディレクトリ名／ファイル名／説明を入力しＯＫボタンＢ２０を押すと、図２９に示すように血液検査選択パネルＰ４に血液検査項目が表示される。血液検査項目を選択すると、血液検査項目詳細パネルＰ５に血液検査項目が表示される。
【００６４】
次に、メッセージを入力する際の手順について説明する。ネットシャーカステンフレームＦ１のメッセージ入力ボタンＢ２１を押すと、図３０に示される送信メッセージ入力ダイアログＤ１２が表示される。メッセージを入力し、送信ボタンＢ２２を押すと、メッセージが送信され、図３１に示すようにメッセージパネルＰ６に表示される。
【００６５】
最後に、会議終了時の手順を説明する。主催者の終了の場合は、メニューバーＭＢ１の「ファイル」−「終了」を選択すると、図３２に示すセッションモニタＭ３が表示されるので、終了ボタンＢ２３を押す。これによって、電子会議が終了する。
【００６６】
参加者の終了の場合は、主催者が終了すると、図３３に示すセッションモニタＭ４が表示される。閉会同意ボタンＢ２４を押すと、参加者も終了する。参加者が会議継続ボタンＢ２５を選択すると、その会議継続ボタンＢ２５を選択した参加者が主催者に変更され、会議を継続することができる。
【００６７】
【発明の効果】
以上のように本発明によれば、自分の不得意な病気や珍しい病気の患畜が来院した場合でも、その病気に詳しい獣医師との相談を容易に行うことができるので、患畜に適切な治療を行うことができるとともに、自己の医療技術を向上させることができる。
【図面の簡単な説明】
【図１】本発明の実施の一形態である電子会議システム１の概略的構成を示す構成図である。
【図２】ネットシャーカステン機能を実行するための構成を示す機能ブロック図である。
【図３】電子会議の開始時と参加時とにおける通信シーケンスを示すタイムチャートである。
【図４】新規会議開催時の初期ダイアログＤ１を示す図である。
【図５】既存会議参加時の初期ダイアログＤ１を示す図である。
【図６】セッションモニタダイアログＤ２を示す図である。
【図７】メッセージダイアログＤ３を示す図である。
【図８】レントゲンタブを表示したときのネットシャーカステンフレームＦ１を示す図である。
【図９】血液検査タブを表示したネットシャーカステンフレームＦ１を示す図である。
【図１０】ネットシャーカステン機能実行時の通信シーケンスを示すタイムチャートである。
【図１１】レントゲン画像アップグレードダイアログＤ４を示す図である。
【図１２】レントゲン画像選択ダイアログＤ５を示す図である。
【図１３】レントゲン画像アップグレードダイアログＤ４を示す図である。
【図１４】ネットシャーカステンフレームＦ１を示す図である。
【図１５】サーバ検索ダイアログＤ６を示す図である。
【図１６】検索結果ダイアログＤ７を示す図である。
【図１７】レントゲン画像選択ダイアログＤ８を示す図である。
【図１８】ネットシャーカステンフレームＦ１を示す図である。
【図１９】ネットシャーカステンフレームＦ１を示す図である。
【図２０】ネットシャーカステンフレームＦ１を示す図である。
【図２１】ネットシャーカステンフレームＦ１を示す図である。
【図２２】血液検査アップグレードダイアログＤ９を示す図である。
【図２３】血液検査選択ダイアログＤ１０を示す図である。
【図２４】血液検査アップグレードダイアログＤ９を示す図である。
【図２５】ネットシャーカステンフレームＦ１を示す図である。
【図２６】サーバ検索ダイアログＤ６を示す図である。
【図２７】検索結果ダイアログＤ７を示す図である。
【図２８】血液検査ファイル名入力ダイアログＤ１１を示す図である。
【図２９】ネットシャーカステンフレームＦ１を示す図である。
【図３０】送信メッセージ入力ダイアログＤ１２を示す図である。
【図３１】ネットシャーカステンフレームＦ１を示す図である。
【図３２】セッションモニタＭ３を示す図である。
【図３３】セッションモニタＭ４を示す図である。
【符号の説明】
１  電子会議システム
２  データセンタ側コンピュータ
３ａ，３ｂ  動物病院側コンピュータ
４  インターネット
５  会議履歴管理部
１０  病院間検査結果検討業務支援機能部
１３  クライアント情報通信管理部
１４  クライアント表示作成部
【図１】
0003732121.tif 000020
【図２】
0003732121.tif 000021
【図３】
0003732121.tif 000022
【図４】
0003732121.tif 000023
【図５】
0003732121.tif 000024
【図６】
0003732121.tif 000025
【図７】
0003732121.tif 000026
【図８】
0003732121.tif 000027
【図９】
0003732121.tif 000028
【図１０】
0003732121.tif 000029
【図１１】
0003732121.tif 000030
【図１２】
0003732121.tif 000031
【図１３】
0003732121.tif 000032
【図１４】
0003732121.tif 000033
【図１５】
0003732121.tif 000034
【図１６】
0003732121.tif 000035
【図１７】
0003732121.tif 000036
【図１８】
0003732121.tif 000037
【図１９】
0003732121.tif 000038
【図２０】
0003732121.tif 000039
【図２１】
0003732121.tif 000040
【図２２】
0003732121.tif 000041
【図２３】
0003732121.tif 000042
【図２４】
0003732121.tif 000043
【図２５】
0003732121.tif 000044
【図２６】
0003732121.tif 000045
【図２７】
0003732121.tif 000046
【図２８】
0003732121.tif 000047
【図２９】
0003732121.tif 000048
【図３０】
0003732121.tif 000049
【図３１】
0003732121.tif 000050
【図３２】
0003732121.tif 000051
【図３３】
0003732121.tif 000052